(57)【要約】【課題】  オーディオ装置において、オーディオ信号の入力中に携帯電話機の着信があったとき、オーディオ信号を消音する。【解決手段】  オーディオ装置において、オーディオ信号を入力するオーディオ信号入力部と、携帯電話機の着信音又は着信振動を検出し当該着信音又は着信振動に対応する着信情報を出力する検出部と、予め携帯電話機の着信情報を記憶する記憶部と、検出部が出力した着信情報を記憶部が記憶した着信情報と比較して一致したとき着信であると判別する判別部と、オーディオ信号入力部がオーディオ信号を入力しているとき判別部が着信であると判別した場合、オーディオ信号入力部が入力するオーディオ信号を消音する制御部とを備えた。【選択図】  図１
2008079054.tif 000002
【特許請求の範囲】
【請求項１】
オーディオ信号を入力するオーディオ信号入力部と、携帯電話機の着信音又は着信振動を検出し当該着信音又は着信振動に対応する着信情報を出力する検出部と、予め携帯電話機の着信情報を記憶する記憶部と、前記検出部が出力した着信情報を前記記憶部が記憶した着信情報と比較して一致したとき着信であると判別する判別部と、前記オーディオ信号入力部がオーディオ信号を入力しているとき前記判別部が着信であると判別した場合、前記オーディオ信号入力部が入力するオーディオ信号を消音する制御部とを備えたことを特徴とするオーディオ装置。
【請求項２】
オーディオ信号を入力するオーディオ信号入力部と、携帯電話機の着信音又は着信振動を検出し当該着信音又は着信振動に対応する着信情報を出力する検出部と、予め携帯電話機の着信情報を記憶する記憶部と、前記検出部が検出した着信情報を前記記憶部が記憶した着信情報と比較して一致し予め定められた以上の時間継続したとき着信であると判別する判別部と、前記オーディオ信号入力部がオーディオ信号を入力しているとき前記判別部が着信であると判別した場合、前記オーディオ信号入力部が入力するオーディオ信号を消音する制御部とを備えたことを特徴とするオーディオ装置。
【請求項３】
オーディオ信号を入力するオーディオ信号入力部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したときオーディオ信号を消音させるか否かを示す指示値を記憶する記憶部と、前記検出部が検出した着信情報を前記記憶部が記憶した着信情報と比較して一致したとき着信であると判別する判別部と、前記オーディオ信号入力部がオーディオ信号を入力しているとき、前記判別部が着信であると判別し、前記検出部が出力した着信情報の種類に対応付けて前記記憶部にオーディオ信号を消音させることを示す指示値が記憶されていた場合、前記オーディオ信号入力部が入力するオーディオ信号を消音する制御部とを備えたことを特徴とするオーディオ装置。
【請求項４】
オーディオ信号を入力するオーディオ信号入力部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したときオーディオ信号を消音させるか否かを示す指示値を記憶する記憶部と、前記検出部が検出した着信情報を前記記憶部が記憶した着信情報と比較して一致し予め定められた以上の時間継続したとき着信であると判別する判別部と、前記オーディオ信号入力部がオーディオ信号を入力しているとき、前記判別部が着信であると判別し、前記検出部が出力した着信情報の種類に対応付けて前記記憶部にオーディオ信号を消音させることを示す指示値が記憶されていた場合、前記オーディオ信号入力部が入力するオーディオ信号を消音する制御部とを備えたことを特徴とするオーディオ装置。
【発明の詳細な説明】
【技術分野】
【０００１】
本発明は、外部から入力されたオーディオ信号を出力するオーディオ装置に関する。
【背景技術】
【０００２】
オーディオ装置の使用者が、オーディオ装置から出力されるオーディオ信号をスピーカ、ヘッドホン等によって音に変換して聴取しているときに電話の着信があった場合、通話するために、オーディオ装置を手動で操作して出力音量を下げることがあった。
このような手動操作を自動的に行うため、電話の呼び出し中及び通話期間中に、自動的にオーディオ機器の音量を下げる電話機があった（特許文献１参照）。
【０００３】
【特許文献１】特開平０５−０９５３９２号公報
【発明の開示】
【発明が解決しようとする課題】
【０００４】
特許文献１に記載の装置は、携帯電話機又はＰＨＳ(Personal Handyphone System)通話端末機の着信を知らせるために用いられる着信メロディー等の着信音、又は着信振動を検出する機能を備えていなかったため、携帯電話機又はＰＨＳ通話端末機の着信に対応して自動的にオーディオ機器の音量を下げることができなかった。
本発明の目的は、オーディオ装置において、携帯電話機又はＰＨＳ通話端末機の着信メロディー等の着信音、又は着信振動を検出することによって着信を判別し、消音できるようにした装置を提供することにある。
【課題を解決するための手段】
【０００５】
本発明の請求項１に記載のオーディオ装置は、オーディオ信号を入力するオーディオ信号入力部と、携帯電話機の着信音又は着信振動を検出し当該着信音又は着信振動に対応する着信情報を出力する検出部と、予め携帯電話機の着信情報を記憶する記憶部と、前記検出部が出力した着信情報を前記記憶部が記憶した着信情報と比較して一致したとき着信であると判別する判別部と、前記オーディオ信号入力部がオーディオ信号を入力しているとき前記判別部が着信であると判別した場合、前記オーディオ信号入力部が入力するオーディオ信号を消音する制御部とを備えたものである。
【０００６】
本発明の請求項２に記載のオーディオ装置は、オーディオ信号を入力するオーディオ信号入力部と、携帯電話機の着信音又は着信振動を検出し当該着信音又は着信振動に対応する着信情報を出力する検出部と、予め携帯電話機の着信情報を記憶する記憶部と、前記検出部が検出した着信情報を前記記憶部が記憶した着信情報と比較して一致し予め定められた以上の時間継続したとき着信であると判別する判別部と、前記オーディオ信号入力部がオーディオ信号を入力しているとき前記判別部が着信であると判別した場合、前記オーディオ信号入力部が入力するオーディオ信号を消音する制御部とを備えたものである。
【０００７】
本発明の請求項３に記載のオーディオ装置は、オーディオ信号を入力するオーディオ信号入力部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したときオーディオ信号を消音させるか否かを示す指示値を記憶する記憶部と、前記検出部が検出した着信情報を前記記憶部が記憶した着信情報と比較して一致したとき着信であると判別する判別部と、前記オーディオ信号入力部がオーディオ信号を入力しているとき、前記判別部が着信であると判別し、前記検出部が出力した着信情報の種類に対応付けて前記記憶部にオーディオ信号を消音させることを示す指示値が記憶されていた場合、前記オーディオ信号入力部が入力するオーディオ信号を消音する制御部とを備えたものである。
【０００８】
本発明の請求項４に記載のオーディオ装置は、オーディオ信号を入力するオーディオ信号入力部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したときオーディオ信号を消音させるか否かを示す指示値を記憶する記憶部と、前記検出部が検出した着信情報を前記記憶部が記憶した着信情報と比較して一致し予め定められた以上の時間継続したとき着信であると判別する判別部と、前記オーディオ信号入力部がオーディオ信号を入力しているとき、前記判別部が着信であると判別し、前記検出部が出力した着信情報の種類に対応付けて前記記憶部にオーディオ信号を消音させることを示す指示値が記憶されていた場合、前記オーディオ信号入力部が入力するオーディオ信号を消音する制御部とを備えたものである。
【発明の効果】
【０００９】
本発明のオーディオ装置によれば、オーディオ信号を入力しているときに携帯電話機又はＰＨＳ通話端末機の着信メロディー等の着信音、又は着信振動を検出し、消音することができる。
【発明を実施するための最良の形態】
【００１０】
図１は、本発明のオーディオ装置の第１の実施例の構成を示すブロック図である。オーディオ信号入力部１は、外部の記録媒体再生装置、オーディオ信号再生装置、オーディオ信号伝送ネットワーク等からのオーディオ信号を入力する。メモリ部２は、オーディオ信号入力部が入力したオーディオ信号を記憶する。オーディオ復調部３は、メモリ部２が記憶したオーディオ信号を読み出し、変調処理されたオーディオ信号であれば復調処理し、オーディオ出力端子３ａを介して、オーディオ出力端子３ａに接続された図示しない外部のアンプ、スピーカ等に出力する。
【００１１】
着信音・着信振動検出部４は、携帯電話機の着信音又は着信振動を検出し、検出した着信音又は着信振動に対応する着信情報を出力する。Ａ／Ｄ(Analog/Digital)変換部５は、着信音・着信振動検出部４が出力した着信情報をアナログ信号からディジタル信号に変換し、メモリ部６又は比較部７に出力先を切り換えて出力する。メモリ部６は、Ａ／Ｄ変換部５がディジタル信号として出力した着信情報を記憶する。比較部７は、Ａ／Ｄ変換部５がディジタル信号として出力した着信情報とメモリ部６が予め記憶した着信情報とを比較する。
【００１２】
ＣＰＵ８は、メモリ部２を制御する。ＣＰＵ８は、判別部８ａ、継続時間設定部８ｂを備える。継続時間設定部８ｂは、判別部８ａが携帯電話機の着信ありと判別するための着信継続時間を設定する。判別部８ａは、比較部７が比較した結果、メモリ部６に記憶された着信情報とＡ／Ｄ変換部５が比較部７に直接出力した着信情報とが一致し、着信情報が継続時間設定部８ｂに予め設定された継続時間(例えば５秒)以上継続したとき、携帯電話機に着信があったと判別する。操作部９は、継続時間設定部８ｂの設定値を、ＣＰＵ８に入力する。
【００１３】
間違い電話が着信したときには、発信者が間違い電話をかけたことに気づき短時間で切られ終了する場合が多い。オーディオ装置の使用者が、オーディオ装置から出力されるオーディオ信号をスピーカ、ヘッドホン等によって聴取しているときに、短時間で着信が終了される間違い電話等によってオーディオ信号の聴取が中断されることは、オーディオ装置の使用者にとって迷惑となる場合がある。そこで、着信の継続時間が、予め設定された継続時間未満である場合、着信なしと判別することにより、短時間で終了される間違い電話等のために、オーディオ装置の使用者が聴取を中断されることを抑止することができる。
【００１４】
オーディオ信号入力部１がオーディオ信号を入力しているとき、判別部８ａが携帯電話機の着信ありと判別すると、ＣＰＵ８は、メモリ部２のオーディオ復調部３への出力を０値に切り換えさせることにより、オーディオ復調部３への入力を消音させる。
携帯電話機の着信情報をメモリ部６に記憶させるには、操作部９を操作しＣＰＵ８の制御によってメモリ部６に着信情報を記憶する動作状態に切り換え、携帯電話機を操作して着信音又は着信振動を出力させ着信音・着信振動検出部４に着信音又は着信振動を入力する。着信音・着信振動検出部４から出力される着信情報は、Ａ／Ｄ変換部５を介して、メモリ部６に入力され、メモリ部６は当該着信情報を記憶する。
【００１５】
着信音・着信振動検出部４は、着信情報として、着信音又は着信振動の共振周波数を出力する。メモリ部６は、着信情報として、着信音又は着信振動の共振周波数を記憶する。そして、比較部７は、着信音・着信振動検出部４が出力しＡ／Ｄ変換部５がディジタル信号として出力した着信音又は着信振動の共振周波数と、メモリ部６に記憶した着信音又は着信振動の共振周波数とを比較する。
【００１６】
図２は、本発明のオーディオ装置の第２の実施例の構成を示すブロック図である。図２のオーディオ装置は、図１のオーディオ装置のオーディオ復調部３とオーディオ出力端子３ａとの間に音量調節部１０を設けた構成である。図２のオーディオ装置において、図１のオーディオ装置と共通の構成部には同符号を付して説明を省略する。
【００１７】
音量調節部１０は、オーディオ復調部３から入力されたオーディオ信号の音量を調節し、オーディオ出力端子３ａを介して、オーディオ出力端子３ａに接続された図示しない外部のアンプ、スピーカ等に出力する。
ＣＰＵ８は、音量調節部１０を制御する。オーディオ信号入力部１がオーディオ信号を入力しているとき、判別部８ａが携帯電話機の着信ありと判別すると、ＣＰＵ８は、音量調節部１０の音量を０値又は最小値にして、オーディオ信号を消音させる。
【００１８】
図３は、本発明の着信音・着信振動検出部を構成する携帯電話機ホルダの一実施例を示す図である。
携帯電話機ホルダ１２は上部から携帯電話機１１を収納し携帯電話機１１を立てた状態で保持する。携帯電話機ホルダ１２は、その内側に、携帯電話機１１の着信音又は着信振動を発する場所に接触するコンタクトマイク１３を備える。コンタクトマイク１３は、携帯電話機１１の着信音又は着信振動を検出する。コンタクトマイク１３が検出することができる周波数特性は、50Hz〜5kHz程度であるので、通常の着信音又は着信振動を検出することができる。コンタクトマイク１３は、携帯電話機１１に直接接触するので、周囲の騒音が大きい場合でも、確実に着信音又は着信振動を検出することができる。
【００１９】
携帯電話機ホルダ１２は、その内側に、スペーサ１４、１５、１６を備える。スペーサ１４、１５、１６は、携帯電話機１１の収納位置を規制し、コンタクトマイク１３の取付位置を確保する。コンタクトマイク１３が検出した着信音又は着信振動の共振周波数が、図示しない共振周波数検出回路によって検出される。ケーブル１７は、共振周波数検出回路が検出した共振周波数を示す情報信号を、着信情報としてＡ／Ｄ変換部５に伝送する。
【００２０】
図４は、本発明のオーディオ装置の第３の実施例の構成を示すブロック図である。図４のオーディオ装置は、図１の第１の実施例のオーディオ装置のメモリ部６に着信情報及び指示値記憶部６ａを設けた構成である。図４のオーディオ装置において、図１のオーディオ装置と共通の構成部には同符号を付して説明を省略する。
【００２１】
着信情報及び指示値記憶部６ａは、着信音・着信振動検出部４が出力しＡ／Ｄ変換部５を介して入力される着信情報の種類毎に、オーディオ信号を消音するか否かを示す指示値を対応付けて、記憶する。オーディオ信号を消音するか否かを示す指示値は、例えば、消音する場合は、指示値＝１とし、消音しない場合は、指示値＝０とする。
判別部８ａは、オーディオ信号入力部１がオーディオ信号を入力しているとき、携帯電話機の着信ありと判別すると、着信情報及び指示値記憶部６ａから着信情報の種類及び指示値を読み出し、当該指示値に応じて、指示値＝１であれば、メモリ部２を制御してオーディオ信号を消音させ、指示値＝０であれば、消音せずそのまま続行させる。
このようにして、携帯電話機の着信があったとき、着信メロディーの種類、着信振動の断続パターン等によって、オーディオ信号を消音することができる。
【００２２】
図５は、本発明のオーディオ装置の第４の実施例の構成を示すブロック図である。図５のオーディオ装置は、図２の第２の実施例のオーディオ装置のメモリ部６に着信情報及び指示値記憶部６ａを設けた構成である。図５のオーディオ装置において、図２のオーディオ装置と共通の構成部には同符号を付して説明を省略する。
【００２３】
着信情報及び指示値記憶部６ａは、着信音・着信振動検出部４が検出しＡ／Ｄ変換部５を介して入力される着信情報の種類毎に、オーディオ信号を消音するか否かを示す指示値を対応付けて、記憶する。オーディオ信号を消音するか否かを示す指示値は、例えば、消音する場合は、指示値＝１とし、消音しない場合は、指示値＝０とする。
判別部８ａは、オーディオ信号入力部１がオーディオ信号を入力しているとき、携帯電話機の着信ありと判別すると、着信情報及び指示値記憶部６ａから着信情報の種類及び指示値を読み出し、当該指示値に応じて、指示値＝１であれば、音量制御部１０を制御してオーディオ信号を消音させ、指示値＝０であれば、消音せずそのまま続行させる。
このようにして、携帯電話機の着信があったとき、着信メロディーの種類、着信振動の断続パターン等によって、オーディオ信号を消音することができる。
【図面の簡単な説明】
【００２４】
【図１】本発明のオーディオ装置の第１の実施例の構成を示すブロック図である。
【図２】本発明のオーディオ装置の第２の実施例の構成を示すブロック図である。
【図３】本発明の着信音・着信振動検出部を構成する携帯電話機ホルダの一実施例を示す図である。
【図４】本発明のオーディオ装置の第３の実施例の構成を示すブロック図である。
【図５】本発明のオーディオ装置の第４の実施例の構成を示すブロック図である。
【符号の説明】
【００２５】
１  オーディオ信号入力部
２、６  メモリ部
３  オーディオ復調部
３ａ  オーディオ出力端子
４  着信音・着信振動検出部
５  Ａ／Ｄ変換部
７  比較部
８  ＣＰＵ
８ａ  判別部
８ｂ  継続時間設定部
９  操作部
１０  音量調節部
１１  携帯電話機
１２  携帯電話機ホルダ
１３  コンタクトマイク
１４，１５、１６  スペーサ
１７  ケーブル
【図１】
2008079054.tif 000003
【図２】
2008079054.tif 000004
【図３】
2008079054.tif 000005
【図４】
2008079054.tif 000006
【図５】
2008079054.tif 000007